【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
周辺デバイスへのアクセスを提供するための方法であって、
第1のワイヤレスネットワークを介して通信デバイスからリモートサーバにアクセスするステップと、
前記リモートサーバへのアクセスにおいて、前記通信デバイスから前記リモートサーバに、前記通信デバイスに関連する一意の識別子を提供するステップと、
前記一意の識別子の受信に応答して、前記リモートサーバにおいて、前記通信デバイスに固有のセキュア通信ドライバを生成するステップと、
前記セキュア通信ドライバをパーソナルコンピュータに送信するステップと、
前記一意の識別子の提供に引き続き、前記周辺デバイスを前記通信デバイスに結合するステップと、
前記通信デバイスから前記リモートサーバに対して前記周辺デバイスを識別するステップと、
前記リモートサーバ内のデータストアにおいて前記周辺デバイスを前記通信デバイスに関連付けるステップと、
前記通信デバイスにおいて前記周辺デバイスから周辺デバイスデータを受信するステップと、
前記通信デバイスから前記リモートサーバに前記周辺デバイスデータを送信するステップと、
を含む、方法。
【請求項２】
前記周辺デバイスと前記通信デバイスとの間に第2のワイヤレス通信リンクを確立するステップをさらに含み、
前記周辺デバイスを前記通信デバイスに結合するステップと、前記通信デバイスにおいて前記周辺デバイスから周辺デバイスデータを受信するステップとが、前記確立された第2のワイヤレス通信リンクを介して達成される、
請求項1に記載の方法。
【請求項３】
インターネットを介して前記パーソナルコンピュータから前記リモートサーバにアクセスするステップと、
前記セキュア通信ドライバを使用して、前記パーソナルコンピュータにおいて前記インターネットを介して前記リモートサーバから前記周辺デバイスデータを受信するステップと、
をさらに含む、請求項1に記載の方法。
【請求項４】
前記第1のワイヤレスネットワークがセルラーデータネットワークであり、前記方法は、
前記セルラーデータネットワークを介して前記通信デバイスから前記リモートサーバにデータ呼を発するステップと、
前記通信デバイスと前記リモートサーバとの間で通信リンクが確立されたときを前記通信デバイス上に示すステップと、
インターネットを介してパーソナルコンピュータから前記リモートサーバにアクセスするステップと、
前記インターネットを介して前記パーソナルコンピュータから前記リモートサーバに、ユーザ識別子と、前記通信デバイス上にプリントされたコードとを送信するステップと、
前記送信されたコードが前記通信デバイスによって与えられた前記一意の識別子に一致するかどうかを前記リモートサーバにおいて判断するステップと、
前記送信されたコードが前記通信デバイスによって与えられた前記一意の識別子に一致すると判断された場合、前記通信デバイスを前記ユーザ識別子に関連付けるステップと、
をさらに含む、請求項1に記載の方法。
【請求項５】
前記周辺デバイスにIPv6アドレスを割り当てるステップと、
前記周辺デバイスのIPv6アドレスをウェブブラウザに通知するステップと、
をさらに含む、請求項4に記載の方法。
【請求項６】
前記送信されたコードが前記通信デバイスによって与えられた前記一意の識別子に一致すると判断された場合、前記パーソナルコンピュータに前記結合された周辺デバイスのための適切なドライバをダウンロードするステップ、
をさらに含む、請求項4に記載の方法。
【請求項７】
前記通信デバイスから、カプセル化インターネットプロトコル(IP)パケットとして前記周辺デバイスデータを、インターネットを介して、前記リモートサーバに送信するステップ
をさらに含む、請求項1に記載の方法。
【請求項８】
前記処理された周辺デバイスデータをインターネットを介して別のサーバに送信するステップ
をさらに含む、請求項1に記載の方法。
【請求項９】
前記通信デバイスに結合された周辺デバイスを発見するステップと、
前記リモートサーバに対して各発見された周辺デバイスを識別するステップと
をさらに含む、請求項1に記載の方法。
【請求項１０】
前記第1のワイヤレスネットワークがセルラー電話ネットワークであり、
前記方法が、前記セルラー電話ネットワークを介して前記リモートサーバから前記通信デバイスにメッセージを送信するステップをさらに含み、
第1のワイヤレスネットワークを介して通信デバイスから前記リモートサーバにアクセスするステップが、前記セルラー電話ネットワークを介して前記メッセージを受信するステップに応答して達成される、
請求項1に記載の方法。
【請求項１１】
前記送信されるメッセージがシンプルメッセージサービス(SMS)メッセージである、請求項10に記載の方法。
【請求項１２】
前記通信デバイスにおいて前記SMSメッセージを受信するステップと、
前記通信デバイスがアクティブ化すべきことを前記SMSメッセージが示しているかどうかを判断するステップと
をさらに含み、
第1のワイヤレスネットワークを介して通信デバイスから前記リモートサーバにアクセスするステップは、前記通信デバイスがアクティブ化すべきことを前記SMSメッセージが示していると判断するステップに応答して達成される、
請求項11に記載の方法。
【請求項１３】
インターネットを介してカプセル化インターネットプロトコル(IP)パケットとして前記通信デバイスから前記リモートサーバに前記周辺デバイスデータを送信するステップと、
前記リモートサーバにおいて前記カプセル化IPパケットを受信するステップと、
前記インターネットを介して前記リモートサーバから第2のサーバに前記カプセル化IPパケットを転送するステップと、
前記周辺デバイスデータを取得するために前記第2のサーバにおいて前記カプセル化IPパケットをアンパックするステップと、
前記周辺デバイスに適したドライバを使用して前記第2のサーバにおいて前記周辺デバイスデータを処理するステップと
をさらに含む、請求項1に記載の方法。
【請求項１４】
前記周辺デバイスが最後にアクセスされたときから所定の時間が満了したかどうかを判断するステップと、
前記所定の時間が満了したとき、電源切断するように前記周辺デバイスに指令する信号を前記周辺デバイスに送るステップと、
をさらに含む、請求項1に記載の方法。
【請求項１５】
前記リモートサーバから前記通信デバイスに前記周辺デバイスのデータについての要求を送信するステップと、
前記通信デバイスにおいて前記周辺デバイスのデータについての前記要求を受信するステップに応答して、前記周辺デバイスにデータについての要求を送るステップと、
をさらに含む、請求項1に記載の方法。
【請求項１６】
前記通信デバイスにおいて前記周辺デバイスのデータについての前記要求を受信するステップに応答して、前記周辺デバイスが電源切断されているかどうかを判断するステップと、
前記周辺デバイスが電源切断されていると判断された場合、電源投入するように前記周辺デバイスに指令する信号を前記周辺デバイスに送るステップと、
をさらに含む、請求項15に記載の方法。
【請求項１７】
前記通信デバイス内の全地球測位システム(GPS)センサから前記通信デバイスのグローバルロケーションを判断するステップと、
前記通信デバイスから前記リモートサーバにGPSロケーション情報を送信するステップと、
前記GPSロケーション情報に基づいて前記リモートサーバにおいてユーザ識別情報を判断するステップと、
前記通信デバイスを前記判断されたユーザ識別情報に関連付けるステップと、
をさらに含む、請求項1に記載の方法。
【請求項１８】
受信された周辺デバイスデータに変化が生じたかどうかを前記通信デバイスにおいて判断するステップと、
受信された周辺デバイスデータに変化が生じたと前記通信デバイスが判断したとき、前記第1のワイヤレスネットワークを介して前記リモートサーバとの通信リンクを確立するステップと、
前記通信デバイスから前記リモートサーバに前記変化した周辺デバイスデータを送信するステップと、
をさらに含む、請求項1に記載の方法。
【請求項１９】
前記周辺デバイスが家庭用システムであり、
前記リモートサーバが、前記通信デバイスを介して前記家庭用システムに制御信号を与えるように構成された、
請求項1に記載の方法。
【請求項２０】
前記パーソナルコンピュータに前記周辺デバイスデータを与えるより前に、前記パーソナルコンピュータと、前記パーソナルコンピュータのユーザと、前記通信デバイスと、前記周辺デバイスとのうちの1つまたは複数を認証するステップ
をさらに含む、請求項3に記載の方法。
【請求項２１】
前記通信デバイスによって前記リモートサーバに送信される前記周辺デバイスデータを暗号化するステップをさらに含む、請求項1に記載の方法。
【請求項２２】
前記パーソナルコンピュータに送信される前記周辺デバイスデータを暗号化するステップをさらに含む、請求項3に記載の方法。
【請求項２３】
前記周辺デバイスが、ユーザデータを記憶するように構成されたデータ記憶デバイスであり、
前記方法が、前記通信デバイスにおいて前記リモートサーバからユーザデータについての要求を受信するステップをさらに含み、
前記通信デバイスにおいて前記周辺デバイスから周辺デバイスデータを受信するステップが、ユーザデータについての前記受信された要求に基づいて前記データ記憶デバイスからユーザデータにアクセスするステップを含み、
前記通信デバイスから前記リモートサーバに前記周辺デバイスデータを送信するステップが、前記データ記憶デバイスからアクセスされた前記ユーザデータを前記リモートサーバに送信するステップを含む、
請求項1に記載の方法。
【請求項２４】
通信システムであって、
データストアおよび前記データストアに結合されたサーバプロセッサを含む、インターネットに結合されたサーバと、
通信デバイスであって、前記通信デバイスが、
プロセッサと、
前記プロセッサに結合され、第1のワイヤレスネットワークを介して通信するように構成された第1のワイヤレストランシーバと、
前記プロセッサに結合され、周辺デバイスとのデータ通信リンクを可能にするように構成されたローカルネットワーク接続回路と
を含み、
前記プロセッサが、
前記第1のワイヤレスネットワークを介して前記サーバにアクセスすることと、
前記サーバへのアクセスにおいて、前記サーバに前記通信デバイスに関連する一意の識別子を提供することと、
前記一意の識別子の提供に引き続き、ワイヤードネットワーク接続ソケットに接続された周辺デバイスを前記サーバに対して識別することと、
前記周辺デバイスから周辺デバイスデータを受信することと、
前記周辺デバイスデータを前記サーバに送信することと、
を含む動作を実行するためのプロセッサ実行可能命令で構成された、通信デバイスと、
を含む、通信システムであって、
前記サーバプロセッサが、
前記インターネットを介して前記通信デバイスと通信することと、
前記サーバ内のデータストアにおいて前記周辺デバイスを前記通信デバイスに関連付けることと、
前記一意の識別子の受信に応答して、前記サーバにおいて、前記通信デバイスに固有のセキュア通信ドライバを生成することと、
前記セキュア通信ドライバをパーソナルコンピュータに送信することと、
を含む動作を実行するためのサーバ実行可能命令で構成された、通信システム。
【請求項２５】
前記ローカルネットワーク接続回路が、前記プロセッサと前記周辺デバイスとの間に第2のワイヤレス通信リンクを確立するように構成された第2のワイヤレストランシーバを含み、
前記プロセッサは、前記周辺デバイスから周辺デバイスデータを受信することが、前記第2のワイヤレス通信リンクを介して前記周辺デバイスデータを受信することを含むような動作を実行するためのプロセッサ実行可能命令で構成された、
請求項24に記載の通信システム。
【請求項２６】
前記サーバプロセッサが、
前記インターネットを介して前記パーソナルコンピュータと通信することと、
前記セキュア通信ドライバを使用して、前記インターネットを介して前記パーソナルコンピュータに前記周辺デバイスデータを送信することと。
をさらに含む動作を実行するためのサーバ実行可能命令で構成された、請求項24に記載の通信システム。
【請求項２７】
前記第1のワイヤレスネットワークがセルラーデータネットワークであり、
前記プロセッサは、
前記セルラーデータネットワークを介して前記サーバにデータ呼を発することと、
前記通信デバイスと前記サーバとの間に通信リンクが確立されたときを前記通信デバイス上で示すことと
をさらに含む動作を実行するためのプロセッサ実行可能命令で構成され、
前記サーバプロセッサは、
前記インターネットを介して前記パーソナルコンピュータからアクセス照会を受信することと、
前記インターネットを介して前記パーソナルコンピュータから、ユーザ識別子と、前記通信デバイス上にプリントされたコードとを受信することと、
前記送信されたコードが前記通信デバイスによって与えられた前記一意の識別子に一致するかどうかを判断することと、
前記送信されたコードが前記通信デバイスによって与えられた前記一意の識別子に一致すると判断された場合、前記通信デバイスを前記ユーザ識別子に関連付けることと
をさらに含む動作を実行するためのサーバ実行可能命令で構成された、
請求項24に記載の通信システム。
【請求項２８】
前記サーバプロセッサが、
前記周辺デバイスにIPv6アドレスを割り当てることと、
前記周辺デバイスIPv6アドレスを前記パーソナルコンピュータ上のウェブブラウザに通知することと
をさらに含む動作を実行するためのサーバ実行可能命令で構成された、請求項27に記載の通信システム。
【請求項２９】
前記サーバプロセッサが、
前記送信されたコードが前記通信デバイスによって与えられた前記一意の識別子に一致すると判断された場合、前記パーソナルコンピュータに前記結合された周辺デバイスのための適切なドライバをダウンロードすること
をさらに含む動作を実行するためのサーバ実行可能命令で構成された、請求項27に記載の通信システム。
【請求項３０】
前記プロセッサが、
前記インターネットを介してカプセル化インターネットプロトコル(IP)パケットとして前記サーバに前記周辺デバイスデータを送信すること
をさらに含む動作を実行するためのプロセッサ実行可能命令で構成され、
前記サーバプロセッサが、
前記カプセル化IPパケットを受信することと、
前記周辺デバイスデータを取得するために前記カプセル化IPパケットをアンパックすることと、
前記周辺デバイスに適したドライバを使用して前記周辺デバイスデータを処理することと、
をさらに含む動作を実行するためのサーバ実行可能命令で構成された、
請求項24に記載の通信システム。
【請求項３１】
前記サーバプロセッサが、
前記処理された周辺デバイスデータを前記インターネットを介して別のサーバに送信すること
をさらに含む動作を実行するためのサーバ実行可能命令で構成された、請求項30に記載の通信システム。
【請求項３２】
前記通信デバイスが、前記プロセッサに結合され、複数の周辺デバイスとのデータ通信リンクを可能にするように構成された複数のワイヤードネットワーク接続ソケットを含み、
前記プロセッサが、
前記複数のワイヤードネットワーク接続ソケットのうちの1つまたは複数に結合された周辺デバイスを発見することと、
前記サーバに対して各発見された周辺デバイスを識別することと
をさらに含む動作を実行するためのプロセッサ実行可能命令で構成された、
請求項24に記載の通信システム。
【請求項３３】
前記第1のワイヤレスネットワークがセルラー電話ネットワークであり、
前記プロセッサが、前記セルラー電話ネットワークを介して前記サーバから前記通信デバイスにメッセージを送信することをさらに含む動作を実行するためのプロセッサ実行可能命令で構成され、
前記プロセッサは、第1のワイヤレスネットワークを介して通信デバイスから前記サーバにアクセスすることが、前記セルラー電話ネットワークを介して前記メッセージを受信することに応答して達成されるような動作を実行するためのプロセッサ実行可能命令で構成された、
請求項24に記載の通信システム。
【請求項３４】
前記サーバプロセッサは、前記送信されるメッセージがシンプルメッセージサービス(SMS)メッセージであるような動作を実行するためのサーバ実行可能命令で構成された、請求項33に記載の通信システム。
【請求項３５】
前記プロセッサは、
前記SMSメッセージを受信することと、
前記通信デバイスがアクティブ化すべきことを前記SMSメッセージが示しているかどうかを判断することと
をさらに含む動作を実行するためのプロセッサ実行可能命令で構成され、
前記プロセッサは、第1のワイヤレスネットワークを介して前記サーバにアクセスすることが、前記通信デバイスがアクティブ化すべきことを前記SMSメッセージが示していると判断することに応答して達成されるような動作を実行するためのプロセッサ実行可能命令で構成された、
請求項34に記載の通信システム。
【請求項３６】
前記インターネットに結合された第2のサーバをさらに含み、
前記プロセッサが、インターネットを介してカプセル化インターネットプロトコル(IP)パケットとして前記通信デバイスから前記サーバに前記周辺デバイスデータを送信することをさらに含む動作を実行するためのプロセッサ実行可能命令で構成され、
前記サーバプロセッサが、
前記カプセル化IPパケットを受信することと、
前記インターネットを介して前記サーバから前記第2のサーバに前記カプセル化IPパケットを転送することと
をさらに含む動作を実行するためのサーバ実行可能命令で構成され、
前記第2のサーバが、
前記周辺デバイスデータを取得するために前記第2のサーバにおいて前記カプセル化IPパケットをアンパックすることと、
前記周辺デバイスに適したドライバを使用して前記第2のサーバにおいて前記周辺デバイスデータを処理することと
を含む動作を実行するためのプロセッサ実行可能命令で構成された、
請求項24に記載の通信システム。
【請求項３７】
前記プロセッサは、
前記周辺デバイスが最後にアクセスされたときから所定の時間が満了したかどうかを判断することと、
前記所定の時間が満了したとき、電源切断するように前記周辺デバイスに指令する信号を前記周辺デバイスに送ることと
をさらに含む動作を実行するためのプロセッサ実行可能命令で構成された、請求項24に記載の通信システム。
【請求項３８】
前記サーバプロセッサが、前記通信デバイスに前記周辺デバイスのデータについての要求を送信することをさらに含む動作を実行するためのサーバ実行可能命令で構成され、
前記プロセッサが、前記サーバから前記周辺デバイスのデータについての前記要求を受信することに応答して、前記周辺デバイスにデータについての要求を送ることをさらに含む動作を実行するためのプロセッサ実行可能命令で構成された、
請求項24に記載の通信システム。
【請求項３９】
前記プロセッサは、
前記周辺デバイスのデータについての前記要求を受信することに応答して、前記周辺デバイスが電源切断されているかどうかを判断することと、
前記周辺デバイスが電源切断されていると判断された場合、電源投入するように前記周辺デバイスに指令する信号を前記周辺デバイスに送ることと
をさらに含む動作を実行するためのプロセッサ実行可能命令で構成された、請求項38に記載の通信システム。
【請求項４０】
前記プロセッサが、
前記通信デバイス内の全地球測位システム(GPS)センサから前記通信デバイスのグローバルロケーションを判断することと、
前記通信デバイスから前記サーバにGPSロケーション情報を送信することと
をさらに含む動作を実行するためのプロセッサ実行可能命令で構成され、
前記サーバプロセッサが、
前記GPSロケーション情報に基づいて前記サーバにおいてユーザ識別情報を判断することと、
前記通信デバイスを前記判断されたユーザ識別情報に関連付けることと
をさらに含む動作を実行するためのサーバ実行可能命令で構成された、
請求項24に記載の通信システム。
【請求項４１】
前記プロセッサは、
受信された周辺デバイスデータに変化が生じたかどうかを判断することと、
受信された周辺デバイスデータに変化が生じたと前記通信デバイスが判断したとき、前記第1のワイヤレスネットワークを介して前記サーバとの通信リンクを確立することと、
前記変化した周辺デバイスデータを前記サーバに送信することと
をさらに含む動作を実行するためのプロセッサ実行可能命令で構成された、請求項24に記載の通信システム。
【請求項４２】
前記周辺デバイスが家庭用システムであり、
前記サーバプロセッサが、前記通信デバイスを介して前記家庭用システムに制御信号を与えることをさらに含む動作を実行するためのサーバ実行可能命令で構成された、
請求項24に記載の通信システム。
【請求項４３】
前記サーバプロセッサが、
前記パーソナルコンピュータに前記周辺デバイスデータを与えるより前に、前記パーソナルコンピュータと、前記パーソナルコンピュータのユーザと、前記通信デバイスと、前記周辺デバイスとのうちの1つまたは複数を認証すること
をさらに含む動作を実行するためのサーバ実行可能命令で構成された、請求項26に記載の通信システム。
【請求項４４】
前記プロセッサが、前記サーバに送信される前記周辺デバイスデータを暗号化することをさらに含む動作を実行するためのプロセッサ実行可能命令で構成された、請求項24に記載の通信システム。
【請求項４５】
前記サーバプロセッサが、前記パーソナルコンピュータに送信される前記周辺デバイスデータを暗号化することをさらに含む動作を実行するためのサーバ実行可能命令で構成された、請求項26に記載の通信システム。
【請求項４６】
前記周辺デバイスが、ユーザデータを記憶するように構成されたデータ記憶デバイスであり、
前記プロセッサが、前記サーバからユーザデータについての要求を受信することをさらに含む動作を実行するためのプロセッサ実行可能命令で構成され、
前記プロセッサは、前記周辺デバイスから周辺デバイスデータを受信することが、ユーザデータについての前記受信された要求に基づいて前記データ記憶デバイスからユーザデータにアクセスすることを含むような動作を実行するためのプロセッサ実行可能命令で構成され、
前記プロセッサは、前記サーバに前記周辺デバイスデータを送信することが、前記データ記憶デバイスからアクセスされた前記ユーザデータを前記サーバに送信することを含むような動作を実行するためのプロセッサ実行可能命令で構成された、
請求項24に記載の通信システム。
【請求項４７】
通信システムであって、
第1のワイヤレスネットワークを介して通信デバイスからサーバにアクセスするための手段と、
前記サーバへのアクセスにおいて、前記通信デバイスから前記サーバに前記通信デバイスに関連する一意の識別子を提供するための手段と、
前記一意の識別子の提供に引き続き、前記通信デバイスに周辺デバイスを結合するための手段と、
前記一意の識別子の受信に応答して、前記サーバにおいて、前記通信デバイスに固有のセキュア通信ドライバを生成する手段と、
前記セキュア通信ドライバをパーソナルコンピュータに送信する手段と、
前記通信デバイスから前記サーバに対して前記周辺デバイスを識別するための手段と、
前記サーバ内のデータストアにおいて前記周辺デバイスを前記通信デバイスに関連付けるための手段と、
前記通信デバイスにおいて前記周辺デバイスから周辺デバイスデータを受信するための手段と、
前記通信デバイスから前記サーバに前記周辺デバイスデータを送信するための手段と、
を含む、通信システム。
【請求項４８】
前記通信デバイスに周辺デバイスを結合するための手段が、前記周辺デバイスと前記通信デバイスとの間に第2のワイヤレス通信リンクを確立するための手段を含み、
前記通信デバイスにおいて前記周辺デバイスから周辺デバイスデータを受信するための手段が、前記第2のワイヤレス通信リンクを介して前記周辺デバイスデータを受信するための手段を含む、
請求項47に記載の通信システム。
【請求項４９】
インターネットを介して前記パーソナルコンピュータから前記サーバにアクセスするための手段と、
前記セキュア通信ドライバを使用して、前記パーソナルコンピュータにおいて前記インターネットを介して前記サーバから前記周辺デバイスデータを受信するための手段と
をさらに含む、請求項47に記載の通信システム。
【請求項５０】
前記第1のワイヤレスネットワークがセルラーデータネットワークであり、前記通信デバイスは、
前記セルラーデータネットワークを介して前記通信デバイスから前記サーバにデータ呼を発するための手段と、
前記通信デバイスと前記サーバとの間に通信リンクが確立されたときを前記通信デバイス上で示すための手段と、
インターネットを介して前記パーソナルコンピュータから前記サーバにアクセスするための手段と、
前記インターネットを介して前記パーソナルコンピュータから前記サーバに、ユーザ識別子と、前記通信デバイス上にプリントされたコードとを送信するための手段と、
前記送信されたコードが前記通信デバイスによって与えられた前記一意の識別子に一致するかどうかを前記サーバにおいて判断するための手段と、
前記送信されたコードが前記通信デバイスによって与えられた前記一意の識別子に一致すると判断された場合、前記通信デバイスを前記ユーザ識別子に関連付けるための手段と
をさらに含む、請求項47に記載の通信システム。
【請求項５１】
前記周辺デバイスにIPv6アドレスを割り当てるための手段と、
前記周辺デバイスIPv6アドレスをウェブブラウザに通知するための手段と
をさらに含む、請求項50に記載の通信システム。
【請求項５２】
前記送信されたコードが前記通信デバイスによって与えられた前記一意の識別子に一致すると判断された場合、前記パーソナルコンピュータに前記結合された周辺デバイスのための適切なドライバをダウンロードするための手段
をさらに含む、請求項50に記載の通信システム。
【請求項５３】
インターネットを介してカプセル化インターネットプロトコル(IP)パケットとして前記通信デバイスから前記サーバに前記周辺デバイスデータを送信するための手段と、
前記サーバにおいて前記カプセル化IPパケットを受信するための手段と、
前記周辺デバイスデータを取得するために前記カプセル化IPパケットをアンパックするための手段と、
前記周辺デバイスに適したドライバを使用して前記サーバにおいて前記周辺デバイスデータを処理するための手段と
をさらに含む、請求項47に記載の通信システム。
【請求項５４】
前記処理された周辺デバイスデータを前記インターネットを介して別のサーバに送信するための手段
をさらに含む、請求項53に記載の通信システム。
【請求項５５】
前記通信デバイスに結合された周辺デバイスを発見するための手段と、
前記サーバに対して各発見された周辺デバイスを識別するための手段と
をさらに含む、請求項47に記載の通信システム。
【請求項５６】
前記第1のワイヤレスネットワークがセルラー電話ネットワークであり、
前記通信デバイスが、前記セルラー電話ネットワークを介して前記サーバから前記通信デバイスにメッセージを送信するための手段をさらに含み、
第1のワイヤレスネットワークを介して通信デバイスから前記サーバにアクセスするための手段が、前記セルラー電話ネットワークを介して前記メッセージを受信することに応答して、第1のワイヤレスネットワークを介して通信デバイスから前記サーバにアクセスするための手段を含む、
請求項47に記載の通信システム。
【請求項５７】
前記送信されるメッセージがシンプルメッセージサービス(SMS)メッセージである、請求項56に記載の通信システム。
【請求項５８】
前記通信デバイスにおいて前記SMSメッセージを受信するための手段と、
前記通信デバイスがアクティブ化すべきことを前記SMSメッセージが示しているかどうかを判断するための手段と
をさらに含み、
第1のワイヤレスネットワークを介して通信デバイスから前記サーバにアクセスするための手段は、前記通信デバイスがアクティブ化すべきことを前記SMSメッセージが示していると判断することに応答して、第1のワイヤレスネットワークを介して通信デバイスから前記サーバにアクセスするための手段を含む、
請求項57に記載の通信システム。
【請求項５９】
インターネットを介してカプセル化インターネットプロトコル(IP)パケットとして前記通信デバイスから前記サーバに前記周辺デバイスデータを送信するための手段と、
前記サーバにおいて前記カプセル化IPパケットを受信するための手段と、
前記インターネットを介して前記サーバから第2のサーバに前記カプセル化IPパケットを転送するための手段と、
前記周辺デバイスデータを取得するために前記第2のサーバにおいて前記カプセル化IPパケットをアンパックするための手段と、
前記周辺デバイスに適したドライバを使用して前記第2のサーバにおいて前記周辺デバイスデータを処理するための手段と
をさらに含む、請求項47に記載の通信システム。
【請求項６０】
前記周辺デバイスが最後にアクセスされたときから所定の時間が満了したかどうかを判断するための手段と、
前記所定の時間が満了したとき、電源切断するように前記周辺デバイスに指令する信号を前記周辺デバイスに送るための手段と
をさらに含む、請求項47に記載の通信システム。
【請求項６１】
前記サーバから前記通信デバイスに前記周辺デバイスのデータについての要求を送信するための手段と、
前記通信デバイスにおいて前記周辺デバイスのデータについての前記要求を受信することに応答して、前記周辺デバイスにデータについての要求を送るための手段と
をさらに含む、請求項47に記載の通信システム。
【請求項６２】
前記通信デバイスにおいて前記周辺デバイスのデータについての前記要求を受信することに応答して、前記周辺デバイスが電源切断されているかどうかを判断するための手段と、
前記周辺デバイスが電源切断されていると判断された場合、電源投入するように前記周辺デバイスに指令する信号を前記周辺デバイスに送るための手段と
をさらに含む、請求項60に記載の通信システム。
【請求項６３】
前記通信デバイス内の全地球測位システム(GPS)センサから前記通信デバイスのグローバルロケーションを判断するための手段と、
前記通信デバイスから前記サーバにGPSロケーション情報を送信するための手段と、
前記GPSロケーション情報に基づいて前記サーバにおいてユーザ識別情報を判断するための手段と、
前記通信デバイスを前記判断されたユーザ識別情報に関連付けるための手段と
をさらに含む、請求項47に記載の通信システム。
【請求項６４】
受信された周辺デバイスデータに変化が生じたかどうかを前記通信デバイスにおいて判断するための手段と、
受信された周辺デバイスデータに変化が生じたと前記通信デバイスが判断したとき、前記第1のワイヤレスネットワークを介して前記サーバとの通信リンクを確立するための手段と、
前記通信デバイスから前記サーバに前記変化した周辺デバイスデータを送信するための手段と
をさらに含む、請求項47に記載の通信システム。
【請求項６５】
前記周辺デバイスが家庭用システムであり、
前記サーバが、前記通信デバイスを介して前記家庭用システムに制御信号を与えるように構成された、
請求項47に記載の通信システム。
【請求項６６】
前記パーソナルコンピュータに前記周辺デバイスデータを与えるより前に、前記パーソナルコンピュータと、前記パーソナルコンピュータのユーザと、前記通信デバイスと、前記周辺デバイスとのうちの1つまたは複数を認証するための手段
をさらに含む、請求項49に記載の通信システム。
【請求項６７】
前記通信デバイスによって前記サーバに送信される前記周辺デバイスデータを暗号化するための手段をさらに含む、請求項47に記載の通信システム。
【請求項６８】
前記パーソナルコンピュータに送信される前記周辺デバイスデータを暗号化するための手段をさらに含む、請求項49に記載の通信システム。
【請求項６９】
前記周辺デバイスが、ユーザデータを記憶するように構成されたデータ記憶デバイスであり、
前記通信デバイスが、前記通信デバイスにおいて前記サーバからユーザデータについての要求を受信するための手段をさらに含み、
前記通信デバイスにおいて前記周辺デバイスから周辺デバイスデータを受信するための手段が、ユーザデータについての前記受信された要求に基づいて前記データ記憶デバイスからユーザデータにアクセスするための手段を含み、
前記通信デバイスから前記サーバに前記周辺デバイスデータを送信するための手段が、前記データ記憶デバイスからアクセスされた前記ユーザデータを前記サーバに送信するための手段を含む、
請求項47に記載の通信システム。
【請求項７０】
プロセッサと、
前記プロセッサに結合され、第1のワイヤレスネットワークを介して通信するように構成されたワイドエリアワイヤレストランシーバと、
前記プロセッサに結合され、周辺デバイスとのデータ通信リンクを確立するように構成されたローカルネットワーク接続回路と
を含む、通信デバイスであって、
前記プロセッサが、
前記第1のワイヤレスネットワークを介して通信デバイスからサーバにアクセスすることと、
前記サーバへのアクセスにおいて、前記通信デバイスから前記サーバに、前記通信デバイスに関連する前記通信デバイスの一意の識別子を提供することと、
前記一意の識別子の提供に引き続き、ワイヤードネットワーク接続ソケットに接続された周辺デバイスを前記サーバに対して識別することと、
前記周辺デバイスから周辺デバイスデータを受信することと、
前記サーバに前記周辺デバイスデータを送信することと
を含む動作を実行するためのプロセッサ実行可能命令で構成され、
サーバプロセッサが、
前記一意の識別子の受信に応答して、前記サーバにおいて、前記通信デバイスに固有のセキュア通信ドライバを生成することと、
前記セキュア通信ドライバをパーソナルコンピュータに送信することと、
を含む動作を実行するためのサーバ実行可能命令で構成された、通信デバイス。
【請求項７１】
前記ローカルネットワーク接続回路が、前記プロセッサと前記周辺デバイスとの間に第2のワイヤレス通信リンクを確立するように構成された第2のワイヤレストランシーバを含み、
前記プロセッサは、前記セキュア通信ドライバを使用して、前記周辺デバイスから周辺デバイスデータを受信することが、前記第2のワイヤレス通信リンクを介して前記周辺デバイスデータを受信することを含むような動作を実行するためのプロセッサ実行可能命令で構成された、
請求項70に記載の通信デバイス。
【請求項７２】
前記ローカルネットワーク接続回路が、ユニバーサルシリアルバス(USB)ポートと、FireWireポートと、イーサネット（登録商標）ソケットとからなるグループから選択されたワイヤードネットワーク接続ソケットを含む、請求項70に記載の通信デバイス。
【請求項７３】
前記プロセッサに結合され、1つまたは複数の周辺デバイスとの第2のローカルエリアワイヤレス通信リンクを確立するように構成されたローカルエリアワイヤレストランシーバをさらに含む、請求項72に記載の通信デバイス。
【請求項７４】
前記通信デバイスのハウジング上に配置され、前記プロセッサに結合されたインジケータをさらに含み、
前記ワイドエリアワイヤレストランシーバが、セルラーデータネットワークとの第1のワイヤレス通信リンクを確立するように構成され、
前記プロセッサが、
前記セルラーデータネットワークを介して前記サーバにデータ呼を発することと、
前記通信デバイスと前記サーバとの間で通信リンクが確立されたとき、前記インジケータをアクティブ化することと
をさらに含む動作を実行するためのプロセッサ実行可能命令で構成された、
請求項70に記載の通信デバイス。
【請求項７５】
前記プロセッサが、
インターネットを介してカプセル化インターネットプロトコル(IP)パケットとして前記通信デバイスから前記サーバに前記周辺デバイスデータを送信すること
をさらに含む動作を実行するためのプロセッサ実行可能命令で構成された、請求項70に記載の通信デバイス。
【請求項７６】
前記プロセッサに結合され、複数の周辺デバイスとのデータ通信リンクを確立するように構成された複数のワイヤードネットワーク接続ソケットをさらに含み、
前記プロセッサが、
前記通信デバイスに結合された周辺デバイスを発見することと、
前記サーバに対して各発見された周辺デバイスを識別することと
をさらに含む動作を実行するためのプロセッサ実行可能命令で構成された、
請求項70に記載の通信デバイス。
【請求項７７】
前記第1のワイヤレスネットワークがセルラー電話ネットワークであり、
前記プロセッサが、前記セルラー電話ネットワークを介して前記サーバから前記通信デバイスにメッセージを送信することをさらに含む動作を実行するためのプロセッサ実行可能命令で構成され、
前記プロセッサは、第1のワイヤレスネットワークを介して通信デバイスから前記サーバにアクセスすることが、前記セルラー電話ネットワークを介して前記メッセージを受信することに応答して達成されるような動作を実行するためのプロセッサ実行可能命令で構成された、
請求項70に記載の通信デバイス。
【請求項７８】
前記プロセッサは、
SMSメッセージを受信することと、
前記通信デバイスがアクティブ化すべきことを前記SMSメッセージが示しているかどうかを判断することと
をさらに含む動作を実行するためのプロセッサ実行可能命令で構成され、
前記プロセッサは、第1のワイヤレスネットワークを介して前記サーバにアクセスすることが、前記通信デバイスがアクティブ化すべきことを前記SMSメッセージが示していると判断することに応答して達成されるような動作を実行するためのプロセッサ実行可能命令で構成された、
請求項77に記載の通信デバイス。
【請求項７９】
前記プロセッサは、
前記周辺デバイスが最後にアクセスされたときから所定の時間が満了したかどうかを判断することと、
前記所定の時間が満了したとき、電源切断するように前記周辺デバイスに指令する信号を前記周辺デバイスに送ることと
をさらに含む動作を実行するためのプロセッサ実行可能命令で構成された、請求項70に記載の通信デバイス。
【請求項８０】
前記プロセッサが、
前記サーバから前記周辺デバイスのデータについての要求を受信することと、
前記サーバから前記周辺デバイスのデータについての前記要求を受信することに応答して、前記周辺デバイスにデータについての要求を送ることと
をさらに含む動作を実行するためのプロセッサ実行可能命令で構成された、請求項70に記載の通信デバイス。
【請求項８１】
前記プロセッサは、
前記周辺デバイスのデータについての前記要求を受信することに応答して、前記周辺デバイスが電源切断されているかどうかを判断することと、
前記周辺デバイスが電源切断されていると判断された場合、電源投入するように前記周辺デバイスに指令する信号を前記周辺デバイスに送ることと
をさらに含む動作を実行するためのプロセッサ実行可能命令で構成された、請求項80に記載の通信デバイス。
【請求項８２】
前記プロセッサが、
前記通信デバイス内の全地球測位システム(GPS)センサから前記通信デバイスのグローバルロケーションを判断することと、
前記通信デバイスから前記サーバにGPSロケーション情報を送信することと
をさらに含む動作を実行するためのプロセッサ実行可能命令で構成された、請求項70に記載の通信デバイス。
【請求項８３】
前記プロセッサは、
受信された周辺デバイスデータに変化が生じたかどうかを前記通信デバイスにおいて判断することと、
受信された周辺デバイスデータに変化が生じたと前記通信デバイスが判断したとき、前記第1のワイヤレスネットワークを介して前記サーバとの通信リンクを確立することと、
前記変化した周辺デバイスデータを前記サーバに送信することと
をさらに含む動作を実行するためのプロセッサ実行可能命令で構成された、請求項70に記載の通信デバイス。
【請求項８４】
前記プロセッサが、前記サーバに対して前記通信デバイスと前記周辺デバイスの一方または両方を認証することを可能にするために認証情報を前記サーバに提供することをさらに含む動作を実行するためのプロセッサ実行可能命令で構成された、請求項70に記載の通信デバイス。
【請求項８５】
前記プロセッサが、前記サーバに送信される前記周辺デバイスデータを暗号化することをさらに含む動作を実行するためのプロセッサ実行可能命令で構成された、請求項70に記載の通信デバイス。
【請求項８６】
前記周辺デバイスが、ユーザデータを記憶するように構成されたデータ記憶デバイスであり、
前記プロセッサが、前記通信デバイスにおいて前記サーバからユーザデータについての要求を受信することをさらに含む動作を実行するためのプロセッサ実行可能命令で構成され、
前記プロセッサは、前記通信デバイスにおいて前記周辺デバイスから周辺デバイスデータを受信することが、ユーザデータについての前記受信された要求に基づいて前記データ記憶デバイスからユーザデータにアクセスすることを含むような動作を実行するためのプロセッサ実行可能命令で構成され、
前記プロセッサは、前記通信デバイスから前記サーバに前記周辺デバイスデータを送信することが、前記データ記憶デバイスからアクセスされた前記ユーザデータを前記サーバに送信することを含むような動作を実行するためのプロセッサ実行可能命令で構成された、
請求項70に記載の通信デバイス。
【請求項８７】
通信デバイスであって、
第1のワイヤレスネットワークを介してサーバにアクセスするための手段と、
前記サーバへのアクセスにおいて、前記サーバに前記通信デバイスに関連する一意の識別子を与えるための手段であって、前記サーバは、前記一意の識別子の受信に応答して、前記通信デバイスに固有のセキュア通信ドライバを生成し、前記セキュア通信ドライバをパーソナルコンピュータに送信するように構成されている、手段と、
前記一意の識別子の提供に引き続き、前記通信デバイスに周辺デバイスを結合するための手段と、
前記サーバに対して前記周辺デバイスを識別するための手段と、
前記周辺デバイスから周辺デバイスデータを受信するための手段と、
前記サーバに前記周辺デバイスデータを送信するための手段と、
を含む、通信デバイス。
【請求項８８】
前記通信デバイスに周辺デバイスを結合するための手段が、前記周辺デバイスと前記通信デバイスとの間に第2のワイヤレス通信リンクを確立するための手段を含み、
前記周辺デバイスから周辺デバイスデータを受信するための手段が、前記第2のワイヤレス通信リンクを介して前記周辺デバイスデータを受信するための手段を含む、
請求項87に記載の通信デバイス。
【請求項８９】
前記通信デバイスと1つまたは複数の周辺デバイスとの間でデータをワイヤレス通信するための手段
をさらに含む、請求項87に記載の通信デバイス。
【請求項９０】
第1のワイヤレスネットワークを介してサーバにアクセスするための手段が、セルラーデータネットワークを介してサーバにアクセスするための手段を含み、前記通信デバイスは、
前記セルラーデータネットワークを介して前記サーバにデータ呼を発するための手段と、
前記通信デバイスと前記サーバとの間で通信リンクが確立されたときを示すための手段と
をさらに含む、請求項87に記載の通信デバイス。
【請求項９１】
インターネットを介してカプセル化インターネットプロトコル(IP)パケットとして前記サーバに前記周辺デバイスデータを送信するための手段
をさらに含む、請求項87に記載の通信デバイス。
【請求項９２】
複数の周辺デバイスとのデータ通信リンクを確立するための手段と、
前記通信デバイスに結合された周辺デバイスを発見するための手段と、
前記サーバに対して各発見された周辺デバイスを識別するための手段と
をさらに含む、請求項87に記載の通信デバイス。
【請求項９３】
第1のワイヤレスネットワークを介してサーバにアクセスするための手段が、セルラーデータネットワークを介してサーバにアクセスするための手段を含み、
前記通信デバイスが、セルラー電話ネットワークを介して前記サーバからメッセージを受信するための手段をさらに含み、
第1のワイヤレスネットワークを介して通信デバイスから前記サーバにアクセスするための手段が、前記セルラー電話ネットワークを介して前記メッセージを受信することに応答して、第1のワイヤレスネットワークを介して通信デバイスから前記サーバにアクセスするための手段を含む、
請求項87に記載の通信デバイス。
【請求項９４】
前記送信されるメッセージがシンプルメッセージサービス(SMS)メッセージである、請求項93に記載の通信デバイス。
【請求項９５】
前記SMSメッセージを受信するための手段と、
前記通信デバイスがアクティブ化すべきことを前記SMSメッセージが示しているかどうかを判断するための手段と
をさらに含み、
第1のワイヤレスネットワークを介して前記サーバにアクセスするための手段は、前記通信デバイスがアクティブ化すべきことを前記SMSメッセージが示していると判断することに応答して、第1のワイヤレスネットワークを介して前記サーバにアクセスするための手段を含む、
請求項94に記載の通信デバイス。
【請求項９６】
前記周辺デバイスが最後にアクセスされたときから所定の時間が満了したかどうかを判断するための手段と、
前記所定の時間が満了したとき、電源切断するように前記周辺デバイスに指令する信号を前記周辺デバイスに送るための手段と
をさらに含む、請求項87に記載の通信デバイス。
【請求項９７】
前記サーバから前記周辺デバイスのデータについての要求を受信するための手段と、
前記サーバから前記周辺デバイスのデータについての前記要求を受信することに応答して、前記周辺デバイスにデータについての要求を送るための手段と
をさらに含む、請求項87に記載の通信デバイス。
【請求項９８】
前記サーバから前記周辺デバイスのデータについての前記要求を受信することに応答して、前記周辺デバイスが電源切断されているかどうかを判断するための手段と、
前記周辺デバイスが電源切断されていると判断された場合、電源投入するように前記周辺デバイスに指令する信号を前記周辺デバイスに送るための手段と
をさらに含む、請求項97に記載の通信デバイス。
【請求項９９】
前記通信デバイスの全地球測位システム(GPS)ロケーションを判断するための手段と、
前記サーバにGPSロケーション情報を送信するための手段と
をさらに含む、請求項87に記載の通信デバイス。
【請求項１００】
受信された周辺デバイスデータに変化が生じたかどうかを判断するための手段と、
受信された周辺デバイスデータに変化が生じたと判断されたとき、前記第1のワイヤレスネットワークを介して前記サーバとの通信リンクを確立するための手段と、
前記変化した周辺デバイスデータを前記サーバに送信するための手段と
をさらに含む、請求項87に記載の通信デバイス。
【請求項１０１】
前記サーバに対して前記通信デバイスと前記周辺デバイスの一方または両方を認証することを可能にするために認証情報を前記サーバに提供するための手段をさらに含む、請求項87に記載の通信デバイス。
【請求項１０２】
前記通信デバイスによって前記サーバに送信される前記周辺デバイスデータを暗号化するための手段をさらに含む、請求項87に記載の通信デバイス。
【請求項１０３】
前記周辺デバイスが、ユーザデータを記憶するように構成されたデータ記憶デバイスであり、
前記通信デバイスが、前記通信デバイスにおいて前記サーバからユーザデータについての要求を受信するための手段をさらに含み、
前記通信デバイスにおいて前記周辺デバイスから周辺デバイスデータを受信するための手段が、ユーザデータについての前記受信された要求に基づいて前記データ記憶デバイスからユーザデータにアクセスするための手段を含み、
前記通信デバイスから前記サーバに前記周辺デバイスデータを送信するための手段が、前記データ記憶デバイスからアクセスされた前記ユーザデータを前記サーバに送信するための手段を含む、
請求項87に記載の通信デバイス。
【請求項１０４】
第1のワイヤレスネットワークを介して、パーソナルコンピュータに通常直接接続される周辺デバイスにリモートアクセスを可能とする通信デバイスからサーバにアクセスすることと、
前記サーバへのアクセスにおいて、前記通信デバイスから前記サーバに前記通信デバイスに関連する一意の識別子を与えることと、
前記一意の識別子の受信に応答して、前記サーバにおいて、前記通信デバイスに固有のセキュア通信ドライバを生成することと、
前記セキュア通信ドライバをパーソナルコンピュータに送信することと、
前記通信デバイスに接続された周辺デバイスを前記サーバに対して識別することと、
前記周辺デバイスから周辺デバイスデータを受信することと、
前記サーバに前記周辺デバイスデータを送信することと、
を含む動作を実行することを前記通信デバイスのプロセッサに行わせるように構成されたプロセッサ実行可能命令を記録したプロセッサ可読記録媒体。
【請求項１０５】
前記記録されたプロセッサ実行可能命令は、周辺デバイスデータが、ユニバーサルシリアルバス(USB)ポートと、FireWireポートと、イーサネット(登録商標)ソケットとからなるグループから選択された接続を介して受信されるような動作を実行することを通信デバイスのプロセッサに行わせるように構成された、請求項104に記載のプロセッサ可読記録媒体。
【請求項１０６】
前記記録されたプロセッサ実行可能命令は、周辺デバイスデータが第2のワイヤレスネットワークを介して受信されるように、ローカルエリアワイヤレストランシーバを介して前記プロセッサと前記周辺デバイスとの間に前記第2のワイヤレスネットワークを確立することをさらに含む動作を実行することを通信デバイスのプロセッサに行わせるように構成された、請求項104に記載のプロセッサ可読記録媒体。
【請求項１０７】
前記記録されたプロセッサ実行可能命令が、
セルラーデータネットワークを介して前記サーバにデータ呼を発することと、
通信デバイスと前記サーバとの間で通信リンクが確立されたとき、インジケータをアクティブ化することと
をさらに含む動作を実行することを前記通信デバイスのプロセッサに行わせるように構成された、請求項104に記載のプロセッサ可読記録媒体。
【請求項１０８】
前記記録されたプロセッサ実行可能命令が、
インターネットを介してカプセル化インターネットプロトコル(IP)パケットとして通信デバイスから前記サーバに前記周辺デバイスデータを送信すること
をさらに含む動作を実行することを前記通信デバイスのプロセッサに行わせるように構成された、請求項104に記載のプロセッサ可読記録媒体。
【請求項１０９】
前記記録されたプロセッサ実行可能命令が、
前記通信デバイスに結合された周辺デバイスを発見することと、
前記サーバに対して各発見された周辺デバイスを識別することと
をさらに含む動作を実行することを前記通信デバイスのプロセッサに行わせるように構成された、請求項104に記載のプロセッサ可読記録媒体。
【請求項１１０】
前記記録されたプロセッサ実行可能命令が、セルラー電話ネットワークを介して前記サーバから通信デバイスにメッセージを送信することをさらに含む動作を実行することを前記通信デバイスのプロセッサに行わせるように構成され、
前記記録されたプロセッサ実行可能命令は、第1のワイヤレスネットワークを介して通信デバイスから前記サーバにアクセスすることが、前記セルラー電話ネットワークを介して前記メッセージを受信することに応答して達成されるような動作を実行することを前記通信デバイスのプロセッサに行わせるように構成された、
請求項104に記載のプロセッサ可読記録媒体。
【請求項１１１】
前記記録されたプロセッサ実行可能命令が、
SMSメッセージを受信することと、
通信デバイスがアクティブ化すべきことを前記SMSメッセージが示しているかどうかを判断することと
をさらに含む動作を実行することを前記通信デバイスのプロセッサに行わせるように構成され、
前記記録されたプロセッサ実行可能命令は、第1のワイヤレスネットワークを介して前記サーバにアクセスすることが、前記通信デバイスがアクティブ化すべきことを前記SMSメッセージが示していると判断することに応答して達成されるような動作を実行することを前記通信デバイスのプロセッサに行わせるように構成された、
請求項109に記載のプロセッサ可読記録媒体。
【請求項１１２】
前記記録されたプロセッサ実行可能命令は、
前記周辺デバイスが最後にアクセスされたときから所定の時間が満了したかどうかを判断することと、
前記所定の時間が満了したとき、電源切断するように前記周辺デバイスに指令する信号を前記周辺デバイスに送ることと
をさらに含む動作を実行することを通信デバイスのプロセッサに行わせるように構成された、請求項104に記載のプロセッサ可読記録媒体。
【請求項１１３】
前記記録されたプロセッサ実行可能命令が、
前記サーバから前記周辺デバイスのデータについての要求を受信することと、
前記サーバから前記周辺デバイスのデータについての前記要求を受信することに応答して、前記周辺デバイスにデータについての要求を送ることと
をさらに含む動作を実行することを通信デバイスのプロセッサに行わせるように構成された、請求項104に記載のプロセッサ可読記録媒体。
【請求項１１４】
前記記録されたプロセッサ実行可能命令は、
前記周辺デバイスのデータについての前記要求を受信することに応答して、前記周辺デバイスが電源切断されているかどうかを判断することと、
前記周辺デバイスが電源切断されていると判断された場合、電源投入するように前記周辺デバイスに指令する信号を前記周辺デバイスに送ることと
をさらに含む動作を実行することを通信デバイスのプロセッサに行わせるように構成された、請求項113に記載のプロセッサ可読記録媒体。
【請求項１１５】
前記記録されたプロセッサ実行可能命令が、
通信デバイス内の全地球測位システム(GPS)センサから前記通信デバイスのグローバルロケーションを判断することと、
前記通信デバイスから前記サーバにGPSロケーション情報を送信することと
をさらに含む動作を実行することを前記通信デバイスのプロセッサに行わせるように構成された、請求項104に記載のプロセッサ可読記録媒体。
【請求項１１６】
前記記録されたプロセッサ実行可能命令は、
受信された周辺デバイスデータに変化が生じたかどうかを通信デバイスにおいて判断することと、
受信された周辺デバイスデータに変化が生じたと前記通信デバイスが判断したとき、前記第1のワイヤレスネットワークを介して前記サーバとの通信リンクを確立することと、
前記変化した周辺デバイスデータを前記サーバに送信することと
をさらに含む動作を実行することを前記通信デバイスのプロセッサに行わせるように構成された、請求項104に記載のプロセッサ可読記録媒体。
【請求項１１７】
前記記録されたプロセッサ実行可能命令が、前記サーバに対して通信デバイスと前記周辺デバイスの一方または両方を認証することを可能にするために認証情報を前記サーバに提供することをさらに含む動作を実行することを前記通信デバイスのプロセッサに行わせるように構成された、請求項104に記載のプロセッサ可読記録媒体。
【請求項１１８】
前記記録されたプロセッサ実行可能命令が、前記サーバに送信される前記周辺デバイスデータを暗号化することをさらに含む動作を実行することを通信デバイスのプロセッサに行わせるように構成された、請求項104に記載のプロセッサ可読記録媒体。
【請求項１１９】
前記周辺デバイスが、ユーザデータを記憶するように構成されたデータ記憶デバイスであり、
前記記録されたプロセッサ実行可能命令が、通信デバイスにおいて前記サーバからユーザデータについての要求を受信することをさらに含む動作を実行することを前記通信デバイスのプロセッサに行わせるように構成され、
前記記録されたプロセッサ実行可能命令は、通信デバイスにおいて前記周辺デバイスから周辺デバイスデータを受信することが、ユーザデータについての前記受信された要求に基づいて前記データ記憶デバイスからユーザデータにアクセスすることを含むような動作を実行することを前記通信デバイスのプロセッサに行わせるように構成され、
前記記録されたプロセッサ実行可能命令は、通信デバイスから前記サーバに前記周辺デバイスデータを送信することが、前記データ記憶デバイスからアクセスされた前記ユーザデータを前記サーバに送信することを含むような動作を実行することを前記通信デバイスのプロセッサに行わせるように構成された、
請求項104に記載のプロセッサ可読記録媒体。